(57)【要約】【課題】  検査依頼に対する結果を、操作者が見落とすことがなく確実に認識することができる電子カルテ表示装置、管理装置、システム、方法、プログラム及び記録媒体を提供する。【解決手段】  操作者が、患者一覧画面部１２２、人生マップ画面部１２３、カルテ画面部１２４を起動すると、電子カルテデータ部１０１中にある該当データが、未読であるか既読であるかを未読データ部１０２を参照して確認する。患者のデータが未読の場合には、各結果マーク２０２，３０２，４０２を点滅して表示する。また、患者を選択してカルテ画面部１２４を起動したときに、患者のデータが未読の場合には、人生マップ画面１２３を自動的に起動する。【選択図】  図１
2006268458.tif 000002
【特許請求の範囲】
【請求項１】
患者の一覧画面を表示する患者一覧画面表示手段と、
前記患者に対する検査結果の有無を表示する検査結果表示手段と、
前記検査結果のうち、操作者が未確認の前記検査結果を前記操作者に対して通知する通知手段とを有することを特徴とする電子カルテ表示装置。
【請求項２】
前記通知手段は、前記一覧画面に表示される前記患者の近傍にマークとして表示され、
前記マークを点滅させて前記操作者に前記検査結果が未確認であることを通知する請求項１に記載の電子カルテ表示装置。
【請求項３】
前記電子カルテ表示装置は、
前記患者の診療履歴を表示する診療履歴表示手段と、前記操作者が前記検査結果を確認したかどうかを判定する検査結果確認判定手段とをさらに有し、
前記操作者が前記患者の診療を行うときに、該患者の前記検査結果が未確認と判定された場合には、患者の前記診療履歴を自動的に表示することを特徴とする請求項１又は２に記載の電子カルテ表示装置。
【請求項４】
前記電子カルテ表示装置は、
前記患者に対する検査情報の依頼内容を表示する検査依頼情報表示手段と、依頼した検査の結果情報を表示する検査結果情報表示手段とをさらに有し、
依頼した前記検査の結果情報が未確認と判定された場合には、前記マークを点滅させて前記操作者に前記検査結果が未確認であることを通知する請求項１から３のいずれか１項に記載の電子カルテ表示装置。
【請求項５】
点滅した前記マークを操作した場合には、未確認の前記検査結果を表示することを特徴とする請求項１から４のいずれか１項に記載の電子カルテ表示装置。
【請求項６】
患者の診療情報を蓄積して保存する診療情報保存手段と、
前記診療情報に対して、操作者が確認したかどうかが判定された前記診療情報の判定結果を保存する判定結果保存手段とを有し、
前記患者ごとに、前記診療情報と前記判定結果とを関連付けて保存することを特徴とする電子カルテ管理装置。
【請求項７】
患者の電子カルテを表示する電子カルテ表示装置と、前記電子カルテを管理する電子カルテ管理装置とが、ネットワークを介して接続される電子カルテシステムであって、
前記電子カルテ表示装置は、
患者の一覧画面を前記電子カルテ管理装置から取得して表示する患者一覧画面表示手段と、
前記患者に対する検査結果の有無を表示する検査結果表示手段と、
前記検査結果のうち、操作者が未確認の前記検査結果を前記操作者に対して通知する通知手段とを有することを特徴とする電子カルテシステム。
【請求項８】
前記通知手段は、前記一覧画面に表示される前記患者の近傍にマークとして表示され、
前記マークを点滅させて前記操作者に前記検査結果が未確認であることを通知する請求項７に記載の電子カルテシステム。
【請求項９】
前記電子カルテ表示装置は、
前記患者の診療履歴を表示する診療履歴表示手段と、前記操作者が前記検査結果を確認したかどうかを判定する検査結果確認判定手段とをさらに有し、
前記操作者が前記患者の診療を行うときに、該患者の前記検査結果が未確認と判定された場合には、患者の前記診療履歴を自動的に表示することを特徴とする請求項７又は８に記載の電子カルテシステム。
【請求項１０】
前記電子カルテ表示装置は、
前記患者に対する検査情報の依頼内容を表示する検査依頼情報表示手段と、依頼した検査の結果情報を表示する検査結果情報表示手段とをさらに有し、
依頼した前記検査の結果情報が未確認と判定された場合には、前記マークを点滅させて前記操作者に前記検査結果が未確認であることを通知する請求項７から９のいずれか１項に記載の電子カルテシステム。
【請求項１１】
点滅した前記マークを操作した場合には、未確認の前記検査結果を表示することを特徴とする請求項７から１０のいずれか１項に記載の電子カルテシステム。
【請求項１２】
前記電子カルテ管理装置は、
患者の診療情報を蓄積して保存する診療情報保存手段と、
前記診療情報に対して、操作者が確認したかどうかが判定された前記診療情報の判定結果を保存する判定結果保存手段とを有し、
前記患者ごとに、前記診療情報と前記判定結果とを関連付けて保存することを特徴とする請求項７から１１のいずれか１項に記載の電子カルテシステム。
【請求項１３】
患者の一覧画面を表示する患者一覧画面表示工程と、
前記患者に対する検査結果の有無を表示する検査結果表示工程と、
前記検査結果のうち、操作者が未確認の前記検査結果を前記操作者に対して通知する通知工程とを有することを特徴とする電子カルテ表示方法。
【請求項１４】
前記通知工程は、前記一覧画面に表示される前記患者の近傍にマークとして表示され、
前記マークを点滅させて前記操作者に前記検査結果が未確認であることを通知する請求項１３に記載の電子カルテ表示方法。
【請求項１５】
前記患者の診療履歴を表示する診療履歴表示工程と、前記操作者が前記検査結果を確認したかどうかを判定する検査結果確認判定工程とをさらに有し、
前記操作者が前記患者の診療を行うときに、該患者の前記検査結果が未確認と判定された場合には、患者の前記診療履歴を自動的に表示することを特徴とする請求項１３又は１４に記載の電子カルテ表示方法。
【請求項１６】
前記患者に対する検査情報の依頼内容を表示する検査依頼情報表示工程と、依頼した検査の結果情報を表示する検査結果情報表示工程とをさらに有し、
依頼した前記検査の結果情報が未確認と判定された場合には、前記マークを点滅させて前記操作者に前記検査結果が未確認であることを通知する請求項１３から１５のいずれか１項に記載の電子カルテ表示方法。
【請求項１７】
点滅した前記マークを操作した場合には、未確認の前記検査結果を表示することを特徴とする請求項１３から１６のいずれか１項に記載の電子カルテ表示方法。
【請求項１８】
患者の診療情報を蓄積して保存する診療情報保存工程と、
前記診療情報に対して、操作者が確認したかどうかが判定された前記診療情報の判定結果を保存する判定結果保存工程とを有し、
前記患者ごとに、前記診療情報と前記判定結果とを関連付けて保存することを特徴とする電子カルテ管理方法。
【請求項１９】
患者の一覧画面を表示する患者一覧画面表示処理と、
前記患者に対する検査結果の有無を表示する検査結果表示処理と、
前記検査結果のうち、操作者が未確認の前記検査結果を前記操作者に対して通知する通知処理とをコンピュータに実行させることを特徴とする電子カルテ表示プログラム。
【請求項２０】
前記通知処理は、前記一覧画面に表示される前記患者の近傍にマークとして表示し、
前記マークを点滅させて前記操作者に前記検査結果が未確認であることを通知するようにコンピュータに実行させる請求項１９に記載の電子カルテ表示プログラム。
【請求項２１】
前記電子カルテ表示装置に、
前記患者の診療履歴を表示する診療履歴表示処理と、前記操作者が前記検査結果を確認したかどうかを判定する検査結果確認判定処理とを行わせ、
前記操作者が前記患者の診療を行うときに、該患者の前記検査結果が未確認と判定された場合には、患者の前記診療履歴を自動的に表示するようにコンピュータに実行させる請求項１９又は２０に記載の電子カルテ表示プログラム。
【請求項２２】
前記電子カルテ表示装置に、
前記患者に対する検査情報の依頼内容を表示する検査依頼情報表示処理と、依頼した検査の結果情報を表示する検査結果情報表示処理とを行わせ、
依頼した前記検査の結果情報が未確認と判定された場合には、前記マークを点滅させて前記操作者に前記検査結果が未確認であることを通知するようにコンピュータに実行させる請求項１９から２１のいずれか１項に記載の電子カルテ表示プログラム。
【請求項２３】
点滅した前記マークを操作した場合には、未確認の前記検査結果を表示するようにコンピュータに実行させる請求項１９から２２のいずれか１項に電子カルテ表示記載の電子カルテ表示プログラム。
【請求項２４】
患者の診療情報を蓄積して保存する診療情報保存処理と、
前記診療情報に対して、操作者が確認したかどうかが判定された前記診療情報の判定結果を保存する判定結果保存処理とを行わせ、
前記患者ごとに、前記診療情報と前記判定結果とを関連付けて保存するようにコンピュータに実行させる電子カルテ管理プログラム。
【請求項２５】
請求項１９から２４に記載のプログラムを記録したコンピュータ読取可能な記録媒体。
【発明の詳細な説明】
【技術分野】
【０００１】
本発明は、電子カルテ表示装置、管理装置、システム、方法、プログラム及び記録媒体に関する。
【背景技術】
【０００２】
従来、医療における紙記載の優れた特性としては、取り扱いの容易性にある。例えば、紙であれば、自由に手書きメモをすることが可能であったり、コピーを貼り付けたり、定型の図などを貼り付け、その上から記録することも可能であったりする。また、強調する内容に下線や印を記載することも可能である。さらに、紙にタグをつけたり、色別のファイルに保管したり、視覚性の高い管理を行うことが可能であり、大量の情報にざっと目を通すことも可能となる。
【０００３】
しかしながら、医療における紙記載は、破損や保管場所の確保、また、その検索の困難性等が指摘されていた。このため、近年では、紙によって管理されていた書類（カルテや処方箋など）の電子化を図った電子カルテシステムがある。この電子カルテシステムの優れた特性としては、データの保管・管理を一元化したり、共有化したりすることが可能となり、また、大量のデータをキーワード検索にて取得することも可能となることである。
【０００４】
しかし、従来の電子カルテシステムでは、検査結果の存在に対して、紙形式のレポートでの通知、または、結果通知専用の画面での通知が行われていた。そのため、操作者は、煩雑な手順によって検査結果の参照操作を行う必要があった。
【０００５】
このような課題を解決する従来技術としては、特許文献１〜４に記載された発明が公知である。特許文献１には、診療録（カルテ）を電子的に記録する診療録電子記録装置に関し、従来と比べ使い勝手を向上させる発明が開示されている。
【０００６】
また、特許文献２には、患者に対する診療、処置等の診療行為を行う前に必要な検査結果が存在するか確認することのできる検査結果確認方法を提供する発明が開示されている。
【０００７】
また、特許文献３には、カルテ、医用画像、読影レポート、検査結果等の診断に必要な情報を電子化して統合的に保管するとともに、簡単な操作で必要な情報を画面上に表示し、医師へ有用な情報を提供する発明が開示されている。
【０００８】
また、特許文献４には、患者自身に関する様々な情報をコンピュータで管理し、関係者に自己カルテ等の情報を携帯電話やＰＤＡ及びパーソナルコンピュータ等を通じて開示し、医療の合理化をはかると共に病院での待ち時間を減らすことができるシステムを提供する発明が開示されている。
【特許文献１】特開２０００−２２２５０２号公報
【特許文献２】特開２００１−１０９８２９号公報
【特許文献３】特開平１０−０９７５８２号公報
【特許文献４】特開２００３−１９６３８４号公報
【発明の開示】
【発明が解決しようとする課題】
【０００９】
しかし、従来の電子カルテシステムでは、検査結果表示専用の画面を開く必要があったり、患者一覧上での結果有り等の表示を行っているが、この方式では、検査結果の確認を行うための操作数が増えてしまう。また、単純に結果有りの表示を行うだけでは、結果有りの表示の数に伴い、その存在を見落としてしまう可能性がある。
【００１０】
このような課題に鑑み、本発明は、検査依頼に対する結果を、操作者が見落とすことがなく確実に認識することができる電子カルテ表示装置、管理装置、システム、方法、プログラム及び記録媒体を提供することを目的としている。
【課題を解決するための手段】
【００１１】
上記の目的を達成するため、請求項１に記載の発明は、患者の一覧画面を表示する患者一覧画面表示手段と、前記患者に対する検査結果の有無を表示する検査結果表示手段と、前記検査結果のうち、操作者が未確認の前記検査結果を前記操作者に対して通知する通知手段とを有する電子カルテ表示装置であることを特徴とする。
【００１２】
請求項２に記載の発明は、請求項１に記載の電子カルテ表示装置において、前記通知手段は、前記一覧画面に表示される前記患者の近傍にマークとして表示され、前記マークを点滅させて前記操作者に前記検査結果が未確認であることを通知する。
【００１３】
請求項３に記載の発明は、請求項１又は２に記載の電子カルテ表示装置において、前記電子カルテ表示装置は、前記患者の診療履歴を表示する診療履歴表示手段と、前記操作者が前記検査結果を確認したかどうかを判定する検査結果確認判定手段とをさらに有し、前記操作者が前記患者の診療を行うときに、該患者の前記検査結果が未確認と判定された場合には、患者の前記診療履歴を自動的に表示することを特徴とする。
【００１４】
請求項４に記載の発明は、請求項１から３のいずれか１項に記載の電子カルテ表示装置において、電子カルテ表示装置は、前記患者に対する検査情報の依頼内容を表示する検査依頼情報表示手段と、依頼した検査の結果情報を表示する検査結果情報表示手段とをさらに有し、依頼した前記検査の結果情報が未確認と判定された場合には、前記マークを点滅させて前記操作者に前記検査結果が未確認であることを通知する。
【００１５】
請求項５に記載の発明は、請求項１から４のいずれか１項に記載の電子カルテ表示装置において、点滅した前記マークを操作した場合には、未確認の前記検査結果を表示することを特徴とする。
【００１６】
請求項６に記載の発明は、患者の診療情報を蓄積して保存する診療情報保存手段と、前記診療情報に対して、操作者が確認したかどうかが判定された前記診療情報の判定結果を保存する判定結果保存手段とを有し、前記患者ごとに、前記診療情報と前記判定結果とを関連付けて保存する電子カルテ管理装置であることを特徴とする。
【００１７】
請求項７に記載の発明は、患者の電子カルテを表示する電子カルテ表示装置と、前記電子カルテを管理する電子カルテ管理装置とが、ネットワークを介して接続される電子カルテシステムであって、前記電子カルテ表示装置は、患者の一覧画面を前記電子カルテ管理装置から取得して表示する患者一覧画面表示手段と、前記患者に対する検査結果の有無を表示する検査結果表示手段と、前記検査結果のうち、操作者が未確認の前記検査結果を前記操作者に対して通知する通知手段とを有することを特徴とする。
【００１８】
請求項８に記載の発明は、請求項７に記載の電子カルテシステムにおいて、前記通知手段は、前記一覧画面に表示される前記患者の近傍にマークとして表示され、前記マークを点滅させて前記操作者に前記検査結果が未確認であることを通知する。
【００１９】
請求項９に記載の発明は、請求項７又は８に記載の電子カルテシステムにおいて、前記電子カルテ表示装置は、前記患者の診療履歴を表示する診療履歴表示手段と、前記操作者が前記検査結果を確認したかどうかを判定する検査結果確認判定手段とをさらに有し、前記操作者が前記患者の診療を行うときに、該患者の前記検査結果が未確認と判定された場合には、患者の前記診療履歴を自動的に表示することを特徴とする。
【００２０】
請求項１０に記載の発明は、請求項７から９のいずれか１項に記載の電子カルテシステムにおいて、前記電子カルテ表示装置は、前記患者に対する検査情報の依頼内容を表示する検査依頼情報表示手段と、依頼した検査の結果情報を表示する検査結果情報表示手段とをさらに有し、依頼した前記検査の結果情報が未確認と判定された場合には、前記マークを点滅させて前記操作者に前記検査結果が未確認であることを通知する。
【００２１】
請求項１１に記載の発明は、請求項７から１０のいずれか１項に記載の電子カルテシステムにおいて、点滅した前記マークを操作した場合には、未確認の前記検査結果を表示することを特徴とする。
【００２２】
請求項１２に記載の発明は、請求項７から１１のいずれか１項に記載の電子カルテシステムにおいて、前記電子カルテ管理装置は、患者の診療情報を蓄積して保存する診療情報保存手段と、前記診療情報に対して、操作者が確認したかどうかが判定された前記診療情報の判定結果を保存する判定結果保存手段とを有し、前記患者ごとに、前記診療情報と前記判定結果とを関連付けて保存することを特徴とする。
【００２３】
請求項１３に記載の発明は、患者の一覧画面を表示する患者一覧画面表示工程と、前記患者に対する検査結果の有無を表示する検査結果表示工程と、前記検査結果のうち、操作者が未確認の前記検査結果を前記操作者に対して通知する通知工程とを有する電子カルテ表示方法であることを特徴とする。
【００２４】
請求項１４に記載の発明は、請求項１３に記載の電子カルテ表示方法において、前記通知工程は、前記一覧画面に表示される前記患者の近傍にマークとして表示され、前記マークを点滅させて前記操作者に前記検査結果が未確認であることを通知する。
【００２５】
請求項１５に記載の発明は、請求項１３又は１４に記載の電子カルテ表示方法において、前記患者の診療履歴を表示する診療履歴表示工程と、前記操作者が前記検査結果を確認したかどうかを判定する検査結果確認判定工程とをさらに有し、前記操作者が前記患者の診療を行うときに、該患者の前記検査結果が未確認と判定された場合には、患者の前記診療履歴を自動的に表示することを特徴とする。
【００２６】
請求項１６に記載の発明は、請求項１３から１５のいずれか１項に記載の電子カルテ表示方法において、前記患者に対する検査情報の依頼内容を表示する検査依頼情報表示工程と、依頼した検査の結果情報を表示する検査結果情報表示工程とをさらに有し、依頼した前記検査の結果情報が未確認と判定された場合には、前記マークを点滅させて前記操作者に前記検査結果が未確認であることを通知する。
【００２７】
請求項１７に記載の発明は、請求項１３から１６のいずれか１項に記載の電子カルテ表示方法において、点滅した前記マークを操作した場合には、未確認の前記検査結果を表示することを特徴とする。
【００２８】
請求項１８に記載の発明は、患者の診療情報を蓄積して保存する診療情報保存工程と、前記診療情報に対して、操作者が確認したかどうかが判定された前記診療情報の判定結果を保存する判定結果保存工程とを有し、前記患者ごとに、前記診療情報と前記判定結果とを関連付けて保存する電子カルテ管理方法であることを特徴とする。
【００２９】
請求項１９に記載の発明は、患者の一覧画面を表示する患者一覧画面表示処理と、前記患者に対する検査結果の有無を表示する検査結果表示処理と、前記検査結果のうち、操作者が未確認の前記検査結果を前記操作者に対して通知する通知処理とをコンピュータに実行させる電子カルテ表示プログラムであることを特徴とする。
【００３０】
請求項２０に記載の発明は、請求項１９に記載の電子カルテ表示プログラムにおいて、前記通知処理は、前記一覧画面に表示される前記患者の近傍にマークとして表示し、前記マークを点滅させて前記操作者に前記検査結果が未確認であることを通知するようにコンピュータに実行させることを特徴とする。
【００３１】
請求項２１に記載の発明は、請求項１９又は２０に記載の電子カルテ表示プログラムにおいて、前記電子カルテ表示装置に、前記患者の診療履歴を表示する診療履歴表示処理と、前記操作者が前記検査結果を確認したかどうかを判定する検査結果確認判定処理とを行わせ、前記操作者が前記患者の診療を行うときに、該患者の前記検査結果が未確認と判定された場合には、患者の前記診療履歴を自動的に表示するようにコンピュータに実行させることを特徴とする。
【００３２】
請求項２２に記載の発明は、請求項１９から２１のいずれか１項に記載の電子カルテ表示プログラムにおいて、電子カルテ表示装置に、前記患者に対する検査情報の依頼内容を表示する検査依頼情報表示処理と、依頼した検査の結果情報を表示する検査結果情報表示処理とを行わせ、依頼した前記検査の結果情報が未確認と判定された場合には、前記マークを点滅させて前記操作者に前記検査結果が未確認であることを通知するようにコンピュータに実行させることを特徴とする。
【００３３】
請求項２３に記載の発明は、請求項１９から２２のいずれか１項に電子カルテ表示記載の電子カルテ表示プログラムにおいて、点滅した前記マークを操作した場合には、未確認の前記検査結果を表示するようにコンピュータに実行させることを特徴とする。
【００３４】
請求項２４に記載の発明は、患者の診療情報を蓄積して保存する診療情報保存処理と、前記診療情報に対して、操作者が確認したかどうかが判定された前記診療情報の判定結果を保存する判定結果保存処理とを行わせ、前記患者ごとに、前記診療情報と前記判定結果とを関連付けて保存するようにコンピュータに実行させる電子カルテ管理プログラムであることを特徴とする。
【００３５】
請求項２５に記載の発明は、請求項１９から２４に記載のプログラムを記録したコンピュータ読取可能な記録媒体であることを特徴とする。
【発明の効果】
【００３６】
このように、本発明の電子カルテ表示装置、管理装置、システム、方法、プログラム及び記録媒体によれば、検査依頼に対する結果を、操作者が見落とすことがなく確実に認識することが可能となる。
【発明を実施するための最良の形態】
【００３７】
以下に、本実施形態の電子カルテシステムを、図面を用いて説明する。なお、本実施形態は以下に述べるものに限定されず、その趣旨を逸脱しない範囲において種々変更が可能である。
図１は、本実施形態の電子カルテシステムの構成を示すブロック図である。
【００３８】
本実施形態の電子カルテシステムは、電子カルテサーバ１００とＷＥＢクライアント１２０とが、ネットワーク１１０を介して接続される。このネットワーク１１０は、電子カルテサーバ１００とＷＥＢクライアント１２０とがデータの送受信を行えるものであればよく、その形態は有線・無線にとらわれない。
【００３９】
電子カルテサーバ１００は、電子カルテデータ部１０１と、未読データ部１０２と、カルテ伝送部１０３とで構成される。電子カルテデータ部１０１は、電子データ化された各患者のカルテを保存するものである。ＷＥＢクライアント１２０からの登録要求や検索要求によって、この電子カルテデータ部１０１への患者データの登録や、電子カルテデータ部１０１内の検索後にＷＥＢクライアント１２０へ該当する患者のカルテデータを送信する処理などを行う。
【００４０】
未読データ部１０２は、電子カルテデータ部１０１に保存されている患者のデータが、未読であるか既読であるか、その状態を保存するものである。この未読データ部１０２のデータは、電子カルテデータ部１０１内の各患者のデータと関連付けて保存されている。そして、ＷＥＢクライアント１２０側からの要求がある際には、電子カルテデータ部１０１から患者のデータを、未読データ部１０２からこの患者のデータが未読か既読かの状態に関するデータを、それぞれＷＥＢクライアント１２０へと送信する。
【００４１】
カルテ伝送部１０３は、ＷＥＢクライアント１２０側からの要求に応じて、電子カルテデータ部１０１内に保存された患者のカルテデータと、未読データ部１０２内に保存されたこの患者のデータが未読か既読かの状態に関するデータと、をネットワーク１１０を介して送受信する。
【００４２】
ＷＥＢクライアント１２０は、カルテ伝送部１２１と、患者一覧画面部１２２と、人生マップ画面部１２３と、カルテ画面部１２４と、検査結果画面部１２５とで構成される。ＷＥＢクライアント１２０では、例えば、電子カルテサーバ１００のカルテ伝送部１０３から送信されるカルテ情報・検査結果情報を受信した際に、カルテ情報・検査結果情報を表示したり、検査結果の未読・既読を表示したりすることが可能である。
【００４３】
カルテ伝送部１２１は、電子カルテサーバ１００内のカルテ伝送部１０３と同様に、患者のカルテデータや未読・既読に関するデータなどを送受信するものである。このカルテ伝送部１２１で患者の検査結果などに関する新着情報を受信すると、患者一覧画面部１２２や、人生マップ画面部１２３や、カルテ画面部１２４や、検査結果画面部１２５などの複数の画面に一斉に結果表示を行うことも可能である。この一斉表示によって検査結果の存在を気づかせる効果もある。
【００４４】
患者一覧画面部１２２は、患者ごとの情報を表示するものであり、例えば、患者選択画面や患者検索画面のように、複数の患者情報や患者氏名などを表示することのできる画面である。図２は、患者一覧画面部１２２の構成を示すブロック図である。
【００４５】
患者一覧画面部１２２は、患者一覧２００と、患者情報２０１と、結果マーク２０２とで構成される。患者一覧２００には、患者ごとの患者情報２０１が表示されている。そして画面向かって左側に結果マーク２０２があり、後述するように、患者情報が未読のものに関しては、該当する結果マーク２０２が点滅することになる。
【００４６】
人生マップ画面部１２３は、各患者の診察状況をマップ形状で表示するものであり、例えば、患者の過去における診察歴を一覧表示できるような画面や、表形式・ＭＡＰ形式などで表示できる画面のことである。図３は、人生マップ画面部１２３の構成を示すブロック図である。
【００４７】
人生マップ画面部１２３は、人生マップ画面３００と、人生マップ情報３０１と、結果マーク３０２とで構成される。人生マップ画面３００は、患者が今までに受けてきた診療の情報を、あたかも地図や表のような形式で表示するものである。そして、この診察履歴情報を人生マップ情報３０１として簡易化し、その中で未読のものに関しては、該当する結果マーク３０２が点滅することになる。なお、上述した未読データ部１０２内には、この人生マップ情報３０１のような検査結果に関するデータが保存されていることになる。
【００４８】
カルテ画面部１２４は、患者のカルテデータを表示するものである。このカルテデータは、図４に示すように、カルテ画面４００と、検査依頼情報４０１と、結果マーク４０２と、検査結果情報４０３と、時系列スクロール４０４とで構成される。
【００４９】
カルテ画面４００は、患者ごとのカルテを表示するものであり、操作者が何らかの検査依頼を行っていれば、その依頼情報が検査依頼情報４０１に表示される。また、依頼した検査の結果が出ていれば、検査結果情報４０３に表示する。さらに、検査結果の中で未読のものがある場合には、結果マーク４０２が点滅する。ちなみに、このカルテ画面４００内では、患者の今までの診察履歴を表示することもできる。以前の診察情報を表示する場合には、時系列スクロール４０４を操作して、該当する診察情報を表示させることになる。
【００５０】
また、検査結果画面部１２５は、患者の検査結果を表示するものである。
【００５１】
次に、本実施形態の電子カルテシステムの動作について、図面を用いて説明する。
図５は、本実施形態電子カルテシステムの通常の動作を示すシーケンスチャートである。
【００５２】
本実施形態では、電子カルテサーバ１００のカルテ伝送部１０３は、ＷＥＢクライアント１２０の表示対象となる電子カルテデータ部１０１・未読データ部１０２を抽出して、ＷＥＢクライアント１２０のカルテ伝送部１２１に送信する。具体的には、ＷＥＢクライアント１２０は、カルテ情報を表示するものである。
【００５３】
実際の動作としては、ＷＥＢクライアント１２０内の、患者一覧画面部１２２と、人生マップ画面部１２３と、カルテ画面部１２４とがカルテ情報を表示する際に、電子カルテサーバ１００のカルテ伝送部１０３が必要な電子カルテデータ１０１部と未読データ１０２部とを抽出して、ＷＥＢクライアント１２０のカルテ伝送部１２１に送信する。
【００５４】
まず始めに、操作者は診療する患者を選択するために、ＷＥＢクライアント１２０の患者一覧画面部１２２を起動する（ステップＳ５０１）。起動された患者一覧画面部１２２は、電子カルテデータ部１０１の患者情報を表示する際に、その患者の電子カルテデータ部１０１の中にあるデータが、操作者が未読であるか既読であるかを、未読データ部１０２を参照して確認する（ステップＳ５０２）。未読データ部１０２を確認した結果、患者のデータが未読の場合には、図２に示すように、患者一覧２００内の検査結果マーク２０２を点滅して表示する（ステップＳ５０３）。このようにすることで、操作者に新着、或いは未確認の患者検査結果が存在することを通知することができる。
【００５５】
次に、操作者は、診療を行うために該当する患者を選択してカルテ画面部１２４を起動する（ステップＳ５０４）。ここでも、カルテ画面部１２４を起動して画面に表示した際に、この患者の電子カルテデータ部１０１内に保存されたデータが、操作者が未読であるか既読であるかを、未読データ部１０２を参照して確認する（ステップＳ５０５）。ここで、患者のデータが未読の場合には、人生マップ画面１２３を自動的に起動する（ステップＳ５０６）。
【００５６】
また同時に、図４に示すように、カルテ画面部１２４のカルテ画面４００でも、患者の検査結果に関するデータが電子カルテデータ部１０１に存在する場合には、この検査結果データに対する電子カルテデータ部１０１の依頼情報データを表示している検査依頼情報４０１内に、結果マーク４０２を表示する。そして、ここで表示される結果マーク４０２においても、未読データ部１０２を参照して操作者が未読であるか既読であるかを確認し、患者のデータが未読である場合には、結果マーク４０２を点滅表示することも可能である。
【００５７】
このようにして起動された人生マップ画面部１２３内の模式図が、図３である。上述したように、患者の検査結果データの中に未読データが含まれている。患者のデータである人生マップ情報３０１の中で、該当する未読データの結果マーク３０２が点滅することになる。このように、未読のデータに対して点滅表示で注意を促すことにより、操作者が直感的な操作を行うので、検査結果を見落とすような重大な事態を回避することができる。
【００５８】
また、上述した人生マップ情報３０１上に、結果マーク３０２を点滅表示させることによって、操作者に新着の検査結果が存在することを、人生マップ画面部１２３を起動する時に通知することも可能である。この場合にも、患者一覧画面部１２２やカルテ画面部１２４を起動した場合と同様に、この患者の電子カルテデータ部１０１内に保存されたデータが、操作者が未読であるか既読であるかを、未読データ部１０２を参照して確認する（ステップＳ５０７）。そして、患者のデータが未読の場合には、人生マップ画面３００の結果マーク３０２を点滅して表示することになる（ステップＳ５０８）。
【００５９】
また、本実施形態の電子カルテシステムは、ＷＥＢクライアント１２０の患者一覧画面部１２２や、人生マップ画面部１２３や、カルテ画面部１２４に表示されている結果マーク（２０２，３０２，４０２）を操作することによって、患者の検査結果を確認することも可能である。
図６は、本実施形態の電子カルテシステムにおいて、結果マークを操作した場合の動作を示すシーケンスチャートである。
【００６０】
まず、ＷＥＢクライアント１２０の患者一覧画面部１２２や、人生マップ画面部１２３や、カルテ画面部１２４に表示されている結果マーク（２０２，３０２，４０２）を操作する（ステップＳ６０１）。この各結果マークに対する操作とは、例えば、パーソナルコンピュータ（ＰＣ）上に表示される各結果マークをクリックすることである。
【００６１】
結果マークの操作が行われると、ＷＥＢクライアント１２０側のカルテ伝送部１２１から操作が行われた患者の電子カルテが既読になったことを未読データ部１０２へ送信して、この電子カルテを既読データとして登録する（ステップＳ６０２）。
【００６２】
さらに、この結果マークを操作すると、検査結果画面部１２５が起動を開始する（ステップＳ６０３）。そして、結果マークが点滅表示される要因となった患者の電子カルテを電子カルテデータ部１０１から取得する（ステップＳ６０４）。このようにして取得した患者の電子カルテは、検査結果画面部１２５に表示されることになる（ステップＳ６０５）。
【００６３】
このように、、ＷＥＢクライアント１２０の操作者が、新着結果を確認すると、少ない操作で（ＰＣ上であれば１クリックで）、患者の検査結果データを確認することが可能となる。
【００６４】
なお、患者一覧画面部１２２・人生マップ画面部１２３・カルテ画面部１２４に表示されている結果マークを操作して検査結果画面１２５を起動した場合には、患者一覧画面部１２２・人生ＭＡＰ画面部１２３・検査結果画面部１２４に表示されている結果マークは、点滅表示されなくなる。また、カルテ画面部１２４での表示の際には、人生マップ画面部１２３が自動的に表示されることは無くなる。
【００６５】
以上、本実施形態の電子カルテシステムによれば、従来の電子カルテシステムのような結果表示専用の画面を起動する必要がなく、新着データに対する各結果マーク（２０２，３０２，４０２）を点滅させることにより、以前に確認した検査結果データから新たに検査結果データが作成されたかどうかを判別することができる。したがって、電子カルテシステムを利用した範囲の中で、患者に対する新着結果の存在を容易に確認することが可能となる。
【００６６】
一般的に、電子カルテシステムを使用する操作者は、まず患者一覧を表示してからの患者の検索・選択を行い、カルテ画面や履歴を一望できるような画面を表示することで診療行為を行っている。その一連の行為の中で、検査結果の有無・新着結果における未読データの表示を点滅で行うことにより、検査結果データの見落としを避ける効果を得ることができる。
【００６７】
また、本実施形態の電子カルテシステムによれば、点滅した各結果マーク（２０２，３０２，４０２）を操作することにより、検査結果表示の画面を起動して結果マークの発生元となった検査結果データを、直感的な操作・少ない操作数で表示することも可能である。結果マークを表示する全ての画面で、点滅による目立つ表示と操作１回（ＰＣ上での１クリックなど）での結果データの起動により、電子カルテシステムの操作者に対する操作性が向上する。
【図面の簡単な説明】
【００６８】
【図１】本実施形態の電子カルテシステムの構成を示すブロック図である。
【図２】本実施形態の患者一覧画面部１２２の構成を示すブロック図である。
【図３】本実施形態の人生マップ画面部１２３の構成を示すブロック図である。
【図４】本実施形態のカルテ画面部１２４の構成を示すブロック図である。
【図５】本実施形態における通常の動作を示すシーケンスチャートである。
【図６】本実施形態における結果マーク２０２，３０２，４０２を操作した場合の動作を示すシーケンスチャートである。
【符号の説明】
【００６９】
１００    電子カルテサーバ
１０１    電子カルテデータ部
１０２    未読データ部
１０３    カルテ伝送部
１１０    ネットワーク
１２０    ＷＥＢクライアント
１２１    カルテ伝送部
１２２    患者一覧画面部
１２３    人生マップ画面部
１２４    カルテ画面部
１２５    検査結果画面部
２００    患者一覧
２０１    患者情報
２０２，３０２，４０２    結果マーク
３００    人生マップ画面
３０１    人生マップ情報
４００    カルテ画面
４０１    検査依頼情報
４０３    検査結果情報
４０４    時系列スクロール
【図１】
2006268458.tif 000003
【図２】
2006268458.tif 000004
【図３】
2006268458.tif 000005
【図４】
2006268458.tif 000006
【図５】
2006268458.tif 000007
【図６】
2006268458.tif 000008